(57)【要約】【課題】スクリーンベルトの網目を小さくしても、十分な通過水量の確保を可能にする。【解決手段】一対の回転部材２に掛け渡されたスクリーンベルト６を傾斜させてその一端を水路内に挿入し、該スクリーンベルト６を走行させながら水路内に水を流し、水面及び水中の夾雑物をスクリーンベルト６で濾過するベルト式スクリーン装置において、スクリーンベルト６の一端を水路の上流側へ延長し、該延長部分６ｂのサイドフレーム１ｂのそれぞれに長手方向に延びる堤１０を立設し、これら堤１０はスクリーンベルト本体部分６ａ側のサイドフレーム１ａと連設する一方、水路の内部でスクリーンベルト６の延長部分６ｂの上流側に堰２０を設け、該堰２０から溢れ出した水をスクリーンベルト６の延長部分６ｂに落下させる。【選択図】図３
2007277855.tif 000002
【特許請求の範囲】
【請求項１】
一対の回転部材に掛け渡されたスクリーンベルトを傾斜させてその一端を水路内に挿入し、該スクリーンベルトを走行させながら水路内に水を流し、水面及び水中の夾雑物をスクリーンベルトで濾過するベルト式スクリーン装置において、スクリーンベルトの一端を水路の上流側へ延長し、該延長部分のサイドフレームのそれぞれに長手方向に延びる堤を立設し、これら堤はスクリーンベルト本体部分側のサイドフレームと連設する一方、水路の内部でスクリーンベルトの延長部分の上流側に堰を設け、該堰から溢れ出した水をスクリーンベルトの延長部分に落下させることを特徴とするベルト式スクリーン装置。
【請求項２】
スクリーンベルトの延長部分のサイドフレームに開口を設け、該開口から上側のスクリーンベルトで濾過した水をサイドフレームの側方に排出することを特徴とする請求項１に記載のベルト式スクリーン装置。
【発明の詳細な説明】
【技術分野】
【０００１】
本発明は、例えば、河川や湖沼などの水を取り込んで処理する施設に設置されるベルト式スクリーン装置に関し、詳しくは、一対の回転部材に掛け渡されたスクリーンベルトを傾斜させてその一端を水路内に挿入し、このスクリーンベルトを走行させて水面及び水中の夾雑物を濾過する装置に関する。
【背景技術】
【０００２】
従来から、水域の美観あるいは水処理負荷の軽減のため、河川や水処理施設等の取水口にスクリーン装置を設置して、水面及び水中に浮遊する木の葉や枝、ペットボトル、ビニルシート等の各種夾雑物を除去していた。この種のスクリーン装置としては、一対の回転部材に掛け渡たされたスクリーンベルトを傾斜させてその一端を水路内に挿入し、スクリーンベルトを走行させながら水路内に水を流し、水面及び水中の夾雑物をスクリーンベルトで濾過して掻き揚げるものが知られている（特許文献１参照）。
【特許文献１】実開昭６２−１４８６２０号公報
【発明の開示】
【発明が解決しようとする課題】
【０００３】
しかし、このスクリーン装置は、水路の水深が浅い場合、スクリーンベルトの下端側の一部しか水没せず、濾過面積が小さくなる。このため、スクリーンベルトの網目を小さくして濾過能力を高くしようとすると、スクリーンベルト通過時の流動抵抗が増大し、通過水量が大幅に減少してしまう。
【０００４】
本発明は、このような事情に鑑み、スクリーンベルトの網目を小さくしても、十分な通過水量を確保することができるベルト式スクリーン装置を提供することを目的とする。
【課題を解決するための手段】
【０００５】
上記課題を解決するための本発明は、一対の回転部材に掛け渡されたスクリーンベルトを傾斜させてその一端を水路内に挿入し、該スクリーンベルトを走行させながら水路内に水を流し、水面及び水中の夾雑物をスクリーンベルトで濾過するベルト式スクリーン装置において、スクリーンベルトの一端を水路の上流側へ延長し、該延長部分のサイドフレームのそれぞれに長手方向に延びる堤を立設し、これら堤はスクリーンベルト本体部分側のサイドフレームと連設する一方、水路の内部でスクリーンベルトの延長部分の上流側に堰を設け、該堰から溢れ出した水をスクリーンベルトの延長部分に落下させることを特徴とする。
【０００６】
スクリーンベルト延長部分のサイドフレームに開口を設け、該開口から上側のスクリーンベルトで濾過した水をサイドフレームの側方に排出するのが好ましい。
【発明の効果】
【０００７】
本発明によれば、堰から溢れ出した水がスクリーンベルトの延長部分に落下して濾過されるので、濾過面積が大きくなり、スクリーンベルトの網目を小さくしても、十分な通過水量を確保することができる。
【０００８】
スクリーンベルト延長部分のサイドフレームに開口を設けると、上側のスクリーンベルトで濾過された水がサイドフレームの開口から側方に排出され、下側のスクリーンベルトでは水の濾過が殆ど行なわれなくなるので、流動抵抗の増加が抑えられ、通過水量の確保が容易になる。
【発明を実施するための最良の形態】
【０００９】
以下、本発明の実施形態を添付図面に基づいて詳細に説明する。
【００１０】
図１は本発明のベルト式スクリーン装置の側面図、図２はその平面図である。
【００１１】
この装置は左右一対のサイドフレーム１を備え、サイドフレーム１は本体部１ａの下端を折り曲げて延長部１ｂを形成してある。延長部１ｂの折曲角は４５度である。サイドフレーム１は本体部１ａの両端と延長部１ｂの先端にスプロケット（回転部材）２を設置してある。スプロケット２は、左右のサイドフレーム１に差し渡した軸３の両端にそれぞれ取り付けてある（図２参照）。本体部１ａの上端側のスプロケット２はチェーン４を介してモータ５に連結されている。
【００１２】
サイドフレーム１の各スプロケット２にスクリーンベルト６を掛け渡してある。つまり、スクリーンベルト６は本体部分６ａと延長部分６ｂとからなる。スクリーンベルト６の両端には、図３に示すようにチェーン７が取り付けてあり、これを各スプロケット２に係合させることで、スクリーンベルト６はモータ５で駆動されて図中矢印Ａ方向に走行するようにしてある。サイドフレーム１本体部１ａと延長部１ｂの境界部には、チェーン７の走行をガイドするコーナーレール８が設けてある。スクリーンベルト６には補強プレート９が所定間隔をおいて取り付けてあり、この補強プレート９はスクリーンベルト６を表裏から挟むようにして取り付けてある。そして、補強プレート９の両端をチェーン７に連結してある。なお、スクリーンベルト６は樹脂製の網目シートで構成され、その目開きは５００メッシュ〜５ミリである。
【００１３】
左右のサイドフレーム１の延長部１ｂには堤１０がそれぞれ立設してあり、これら堤１０はサイドフレーム１の本体部分１ａと連設してある。サイドフレーム１の延長部１ｂには、開口１ｃが長手方向に沿って形成してあり、この開口１ｃは上下のスクリーンベルト６,６に挟まれるように配置してある。左右の堤１０,１０の側縁には流入ガイド１１を連設してある。
【００１４】
サイドフレーム１の上端部には、スクリーンベルト６に付着したし渣を除去するクリーニング機構１２を設けてある。このクリーニング機構１２は、サイドフレーム１と一体に設けたボックス１３の内部に配設してある。すなわち、本体部１ａの両端のスプロケット２からスクリーンベルト６をボックス１３の内部に引き込み、２つのローラ１４,１５に巻き掛けてある（図４参照）。
【００１５】
これらのローラ１４,１５の間にはロータリーブラシ１６が設けてあり、このロータリーブラシ１６はチェーン１７を介して本体部１ａ側のスプロケット２と連結してある。ロータリーブラシ１６の上方には、スクリーンベルト６の内面に洗浄水を噴射するノズル１８を設けてある。つまり、スクリーンベルト６はノズル１８からの洗浄水が吹き付けられならがロータリーブラシ１６で擦られ、その外面に付着したし渣が除去されることになる。
【００１６】
図３はこのスクリーン装置を水路内に設置した状態を示している。
【００１７】
すなわち、水路の内部で堰２０の下流側には、サイドフレーム１の延長部１ｂが水平に配置し、堰２０側の流出ガイド２１を左右の堤１０,１０の間に収めてある。
【００１８】
いま、モータ５を起動すると、スクリーンベルト６がサイドフレーム１に沿って図中矢印Ａ方向に走行する。堰２０から溢れ出した水は、スクリーンベルト６の延長部分６ｂに落下し、堤１０で堰き止められる。落下した水はスクリーンベルト６の延長部分６ｂで濾過され、サイドフレーム延長部１ｂの開口１ｃから側方に排出される。
【００１９】
このスクリーン装置では、堰２０から溢れ出した水がスクリーンベルト６の延長部分６ｂに落下して濾過されるので、濾過面積が大きくなり、スクリーンベルト６の網目を小さくしても、十分な通過水量を確保することができる。さらに、上側のスクリーンベルト６で濾過された水がサイドフレーム１の開口１ｃから側方に排出され、下側のスクリーンベルト６では水の濾過は殆ど行なわれないので、流動抵抗の増加が抑えられ、スクリーンベルト６の網目を小さくした場合の、通過水量の確保が容易になる。
【００２０】
なお、以上の実施形態では、水路内でスクリーンベルト６の延長部分６ｂを水平に配置してあるが、本体部分６ａの傾斜を緩くして、延長部分６ｂを上流側へ向かって立ち上がるように傾斜させてもよい。このようにすると、スクリーンベルト６の延長部分６ｂでも水の濾過が行なわれ、通水量の確保がさらに容易になる。つまり、延長部分６ｂの本体部分６ａに対する折曲角は、夾雑物の大きさや種類、若しくは水路への据付条件を考慮し、１０〜９０度の範囲で決めればよい。
【００２１】
ところで、大きいゴミが流入してくる恐れのある場合、外側の補強プレート９を断面Ｌ型アングルにし、これでスクリーンベルト６にかかった大きなゴミを掻き揚げるようにしてもよい。なお、スクリーンベルト６は樹脂製のものに限定する必要はなく、金属製のものを用いてよい。
【００２２】
このスクリーン装置は次のような用途に使用される。
【００２３】
河川又は湖沼から取水を行う取水口に設置して、取水中のゴミ・藻類・植物プランクトン及びアミ類（エビの小さいもの）等の浮遊物質を除去する。あるいは、スクリーンボックス内に収め、ポンプアップした水をスクリーンベルト６の延長部分６ｂに落下させてもよい。また、水処理施設における汚泥脱水機の洗浄時に発生する脱離液から汚泥を分離するスクリーン装置としての用途もある。
【図面の簡単な説明】
【００２４】
【図１】本発明のベルト式スクリーン装置の側面図。
【図２】図１の平面図。
【図３】同装置の使用状態を示す図。
【図４】同装置のクリーニング機構を示す図。
【符号の説明】
【００２５】
１      サイドフレーム
１ａ    本体部分
１ｂ    延長部分
１ｃ    開口
２      スプロケット
３      軸
４      チェーン
５      モータ
６      スクリーンベルト
６ａ    本体部分
６ｂ    延長部分
７      チェーン
８      コーナーレール
９      補強プレート
１０      堤
１１      流入ガイド
２０      堰
２１      流出ガイド
【図１】
2007277855.tif 000003
【図２】
2007277855.tif 000004
【図３】
2007277855.tif 000005
【図４】
2007277855.tif 000006
【手続補正書】
【提出日】平成18年7月31日(2006.7.31)
【手続補正１】
【補正対象書類名】図面
【補正対象項目名】図４
【補正方法】変更
【補正の内容】
【図４】
2007277855.tif 000007